(57)【要約】      （修正有）【課題】ラップ等の巻回物の箱よりの飛び出しを防止できる用具を提供する。【解決手段】軸１とこの軸に嵌合する有孔の嵌合体３との組み合わせよりなる。【選択図】図２
0003138834.tif 000002
【実用新案登録請求の範囲】
【請求項１】
軸とこの軸に嵌合する有孔の嵌合体との組み合わせよりなることを特徴とするラップ飛び出し防止具。
【請求項２】
嵌合体を球体としてなる請求項１記載のラップ飛び出し防止具。
【請求項３】
軸の一端にテーパ面を設け、このテーパ面と同一のテーパ内面を有する嵌合体とを組み合わせてなる請求項１又は２記載のラップ飛び出し防止具。
【請求項４】
軸の一端に雄ねじを、嵌合体の孔内面に雌ねじを刻設してなる請求項１又は２記載のラップ飛び出し防止具。
【請求項５】
嵌合体の雌ねじ長さより長い雄ねじを軸の一端に刻設し、雌ねじを有する嵌合体と螺着体を設け、以上の軸と嵌合体および螺着体との組み合わせよりなるラップ飛び出し防止具。
【考案の詳細な説明】
【技術分野】
【０００１】  この考案は、ラップフィルムやアルミホイルの使用時において、巻回物の箱からの飛び出しを防止する用具に関する。
【背景技術】
【０００２】  従来より、ラップフィルムやアルミホイルの巻回物は紙製の箱内に収納され、使用時に箱外への飛び出しを防止する手段としては、箱端面の一部にミシン目を入れて、この個所を押圧して紙片を内側に折り込むことが一般化しているが、本発明にて示すように、軸を有する別体を設ける手段は現在のところ見あたらない。
【考案の開示】
【考案が解決しようとする課題】
【０００３】  上述のように、ラップやアルミホイルは使用時に巻回物が箱から飛び出すことがある。
一般にラップやアルミホイルは調理物の保護や電子レンジ使用時などにおいて多用されている。厚紙製の円筒体の外周にラップフィルムやアルミホイルを所定厚さに巻回し、この巻回物を直方体形状の蓋付きの箱内に収納し、蓋端部に切断用の刃部を設けて構成されており、使用時は箱を手に持ち、蓋を開けてラップフィルムやアルミホイルの端部をつまんで斜め上方に引き出し、蓋を閉めてフィルム端をやや引きながら上方に移行させることにてフィルム切断がなされる。
しかしながら、蓋を開けて引き出すときにその動作が速かったりあるいは前回使用時よりかなりの時間が経過しているときなどに巻回物が箱から飛び出すことがある。
さらに時にはフィルム端が巻回面に巻き付いてしまい、フィルム端を見つけるのに手間取り、あるいはフィルムが中間で切れてしまい、大いに難儀することもある。
これを防止するため、既述のように収納箱両端の所定個所を押し込んで舌片部を形成し、この舌片部が巻回物の内部に位置してこの舌片部にて飛び出しを防ぐよう配慮されている。しかし、この舌片部形成は購入者が操作するものであるために、舌片角度が不十分なことが多く、飛び出し防止効果が不満足なことも多いものである。
本案は、以上のような従来からのラップ飛び出し防止手段に関わる課題を解決するために考案されたもので、軸とこの軸に嵌合する嵌合体を別体として設けることにより、安全確実にラップ等の箱からの飛び出しを防止することができる用具を提供することを目的としたものである。
【課題を解決するための手段】
【０００４】  課題を解決する手段として本案は以下の構成とした。
すなわち、軸とこの軸に嵌合する有孔の嵌合体とを組み合わせる。本案は以上の構成よりなるラップ飛び出し防止具である。
【考案の効果】
【０００５】  本案によれば、ラップ巻回物内に軸が位置し、この軸の両端はラップ巻回物を収納している箱端より突出し、かつ軸両端には嵌合体が位置しているので、ラップ引き出し時においてラップ巻回物の箱からの離脱を防止することのできる、有用なる物品を提供することができる。なお、嵌合体の一方は軸に着脱可能のため、軸を適宜に箱より取り外すことができる。
【考案を実施するための最良の形態】
【０００６】  以下、本考案の実施形態について説明する。
図において、１は木製の軸で、その全長はラップ収納箱全長よりやや長く、かつその両端近傍外周にはテーパ面２が形成される。３は嵌合体で、その外周に複数の凹部を有するとともに一方の端面中央から外周に向けてゆるやかな傾斜面を有する合成樹脂形成体で、その中央には傾斜内面を有する貫通孔４が形成される。軸の傾斜面と嵌合体の貫通孔は近似の形状であり、軸の両端に各嵌合体は押圧嵌合可能であり、一方の嵌合体は軸に接着される。
本例の使用に際しては、図に示すように箱端面のミシン目を押圧して舌片部を形成してできる孔より軸の一端を押し込み、他端の孔より軸端を突出させ、ここに他方の嵌合体を押圧挿入する。この状態において、軸はラップ巻回物内に挿通され、傾斜面にて嵌合体は所定位置に押圧されて位置し、各嵌合体の対向面距離は箱の全長よりわずかに長い。ラップ箱使用時は、従来と同様に蓋を開けて行うがラップ巻回物内に軸が位置し、軸の両端は箱端より突出するとともに嵌合体が位置するため、ラップを勢いよく引き出しても巻回物は箱内にとどまるため、既述のような不便さを排除することができる。ラップ等がなくなったときは、軸より嵌合体を取り外して箱より軸を抜き取り、新しいラップに装着して再び使用することができる。【０００７】  図８〜図１０は本案の他例を示すものである。
図８は軸のテーパ面を２段にしたもので、球状の嵌合体は軸のテーパ面に押圧係止されるが、軸端に傾斜度の高いテーパ面（端部テーパ面）を設けたので軸端径が小となり、軸に対する嵌合体の装着がより容易となる。図９はテーパ面に代えて軸に雄ねじを嵌合体に雌ねじを刻設した螺着方式としたものであり、嵌合体を雌ねじの最奥部に位置させて嵌合体の軸に対する位置決めがなされる。図１０はさらに、螺着体を設けて嵌合体と併用する方式としたものである。この螺着体中央には雌ねじが刻設されて軸の雄ねじに螺合可能であり、軸の雄ねじ長はやや長めに形成して、軸を巻回物収納の箱内に挿入したとき、この雄ねじの一部は箱内に位置する。従って、本案装着時において嵌合体は所定範囲内にて箱端より任意の距離に位置し、この嵌合体に押圧接触して螺着体を位置させ、いわゆるダブルナット方式が可能となり、嵌合体の所望位置での固定が可能となるものである。【０００８】  以上、本案について説明したが、本案はシンプルな構成にて巻回物の箱からの飛び出しを防ぐことができるところに特徴があり、繰り返し使用できるものである。
本案では嵌合体側面と箱端面との距離がポイントである。巻回物を収納している箱には既述のように蓋があってこの蓋を開閉して使用するが、箱状の蓋のために箱体端面に近接してこの蓋の側面が移動する。通常使用においては問題ないが、時にはこの蓋側面がめくれて箱端面からの距離がやや大きくなることがあり、この状態では蓋を閉めるときに蓋端面が嵌合体に当たってその開閉に支障を来すことがある。
これを避けるために、箱端面から嵌合体端面まで少しの距離が必要であるとともに、嵌合体側面にその中央から外周に向けてのテーパ面もしくは球面を設ける構成としたのである。別例として示した球状の嵌合体であればこの問題を回避できる。
本案の素材については任意であり、また巻回物長も数種類があるので軸長の異なるものを何通りか用意することですべてのラップ等に対応することができる。なお、簡易タイプとして、軸や嵌合体にテーパ面を設けずに、嵌合体内径を適度に設けて押圧挿入するタイプとしてもよい。なお、球状の嵌合体ではその表面に顔や動物などのデザインを表現することによってより親しみのあるものとすることができる。以上のごとく、本案によってラップ等の使用に便利なる補助用具を提供することができる。
【図面の簡単な説明】
【０００９】
【図１】  本考案の装着状態正面図
【図２】  本考案の内部構造説明図（装着時）
【図３】  本考案の軸と嵌合体の装着状態図
【図４】  本考案の装着状態左側面図
【図５】  本考案の嵌合体の拡大正面図
【図６】  本考案の嵌合体の拡大左側面図
【図７】  本考案の他例説明図
【図８】  本考案の他例説明図
【図９】  本考案の他例説明図
【図１０】  本考案の他例説明図
【符号の説明】
【００１０】  １  軸
２  テーパ面
３  嵌合体
４  貫通孔
５  巻回物
６  蓋
７  刃部
８  端部テーパ面
９  雄ねじ
１０  螺着体
１１  箱体
【図１】
0003138834.tif 000003
【図２】
0003138834.tif 000004
【図３】
0003138834.tif 000005
【図４】
0003138834.tif 000006
【図５】
0003138834.tif 000007
【図６】
0003138834.tif 000008
【図７】
0003138834.tif 000009
【図８】
0003138834.tif 000010
【図９】
0003138834.tif 000011
【図１０】
0003138834.tif 000012